(57)【要約】【課題】断熱栓の係合爪を蓋下板の係合穴に係合させて該断熱栓を蓋下板に取付けた蓋ユニットにおいて、前記係合穴を設けた蓋下板の成形時の型抜きが容易にできるようにし、製作コストの低減を図るとともに、前記断熱栓の断熱効果を高めることである。【解決手段】蓋下板１４に所要数の係合穴２８を上下方向に開放して設け、その下方から断熱栓１６の係合爪３７を差し込んで係合させ、その断熱栓１６内部のエアー通路に邪魔板４５を設けた。【選択図】  図２
2004242866.tif 000002
【特許請求の範囲】
【請求項１】
蓋下板の上面にエアーポンプを取付けるとともに、その蓋下板の下面に前記エアーポンプに連通したエアー通路を有する断熱栓を取付け、前記エアー通路を通じて該エアーポンプによる加圧エアーを内容器内部に送り込むようにした液体容器の蓋ユニットにおいて、前記蓋下板の下面に設けた嵌合リブの内側に上下方向に開放され前記エアーポンプに連通した複数の係合穴を設け、前記断熱栓の上端開放部を形成する上端周壁を前記嵌合リブの内側に嵌合するとともに、該上端周壁の一部に設けた係合爪を前記の係合穴に嵌入係合せしめ、前記エアー通路を上端開放部から下端部外周面に設けた開口に渡り形成し、そのエアー通路の途中に邪魔板を設けたことを特徴とする液体容器の蓋ユニット。
【請求項２】
前記蓋下板の嵌合リブの内側に沿ってテーパー部を設け、そのテーパー部に前記の係合穴を設けたことを特徴とする請求項１に記載の液体容器の蓋ユニット。
【請求項３】
前記断熱栓を蓋下板にねじ止めしたことを特徴とする請求項１又は２に記載の液体容器の蓋ユニット。
【請求項４】
前記邪魔板を前記開口の内部上縁と断熱栓内部の対向壁面との間にブリッジ状に形成したことを特徴とする請求項１から３のいずれかに記載の液体容器の蓋ユニット。
【発明の詳細な説明】
【０００１】
【発明の属する技術分野】
この発明は、エアーポット等の液体容器の蓋ユニットに関し、特に断熱栓の構造に関するものである。
【０００２】
【従来の技術】
エアーポット等の液体容器の蓋ユニットは、蓋下板の上面に取付けたエアーポンプの上部に蓋上板を被せ、その蓋上板からエアーポンプのプッシュボタンを露出させるとともに、該蓋上板を蓋下板に嵌合してユニット化した構造を有する。
また、前記の蓋下板の下面に断熱栓を取付け、その断熱栓を内容器口部上に臨んだ肩部材の開口部に挿入することにより、内容器口部からの放熱を防止するようにしている。
【０００３】
また、蓋下板と断熱栓に前記エアーポンプに通じたエアー通路を設けるとともに、断熱栓の周りにパッキンを装着し、そのパッキンを前記肩部材の開口部に密着させることによりシールを図り、エアーポンプにより加圧されたエアーを内容器内部に送り込むようにしている。また、内容器の内部に挿入された揚水管が内容器開口部から肩部材の開口部を経て引き出され吐出口に連通される。前記の加圧エアーにより内容器内部が加圧されると、内部の液体が揚水管を経て吐出口から外部に吐出される。なお、肩部材の開口部に挿入される前記の断熱栓はその部分を通過する揚水管との干渉を避けるために部分的に切り欠かれた形状をなす（特許文献１参照）。
【０００４】
【特許文献１】
実公平４−３３０９９号公報（実施例、第１図から第３図参照）
【０００５】
【発明が解決しようとする課題】
上記の断熱栓を蓋下板に取付ける従来の構造は、蓋下板下面に設けた環状の嵌合リブに横方向の係合穴を複数箇所に設け、その嵌合リブの外周側から断熱栓の係合爪を係合させることにより取付ける構造がとられていた。
【０００６】
しかし、このような取付け構造によると、嵌合リブに形成された係合穴の向きが成形時の金型の抜き方向に対して直角の方向となるため、係合穴の部分については型抜き方向の異なった金型構造が必要となり、そのため金型が複雑になり製造コストが高くなる問題があった。
【０００７】
また、前記の断熱栓の内部には断熱材が充填され、前記のエアー通路がその断熱材を貫いて一直線に上下方向に設けられていたので、内容器内部の熱がそのエアー通路からエアーポンプを経て外部に放逸され易い問題があった。
【０００８】
そこで、この発明は、成形が容易で熱が放逸され難い構造をもった蓋ユニットを提供することを課題とする。
【０００９】
【課題を解決するための手段】
上記の課題を解決するために、この発明は、蓋下板の上面にエアーポンプを取付けるとともに、その蓋下板の下面に前記エアーポンプに連通したエアー通路を有する断熱栓を取付け、前記エアー通路を通じて該エアーポンプによる加圧エアーを内容器内部に送り込むようにした液体容器の蓋ユニットにおいて、前記蓋下板の下面に設けた嵌合リブの内側に上下方向に開放され前記エアーポンプに連通した複数の係合穴を設け、前記断熱栓の上端開放部を形成する上端周壁を前記嵌合リブの内側に嵌合するとともに、該上端周壁の一部に設けた係合爪を前記の係合穴に嵌入係合せしめ、前記エアー通路を上端開放部から下端部外周面に設けた開口に渡り形成し、そのエアー通路の途中に邪魔板を設けた構成を採用した。
【００１０】
上記の構成によると、蓋下板に設けられた係合穴は上下方向に開放され、その方向は蓋下板成形金型の抜き方向に一致する。このため、型抜きは容易であり、金型の構造は単純なものでよい。また、断熱栓のエアー通路を経てエアーポンプに至る通路は、下端部の開口が断熱栓の外周面に開放され、その内部において邪魔板により曲げられ、さらに上端において蓋下板に当って曲げられ、蓋下板の係合穴を経てエアーポンプ内に抜けるという屈曲した経路を経由することになる。
そのため、熱の移動が妨げられ断熱効果が発揮される。
【００１１】
なお、前記蓋下板の嵌合リブの内側に沿ってテーパー部を設け、そのテーパー部に前記の係合穴を設けた構成や、前記断熱栓を蓋下板にねじ止めした構成をとることができる。また、前記邪魔板を前記開口の内部上縁と断熱栓内部の対向壁面との間にブリッジ状に形成した構成をとることもできる。
【００１２】
【発明の実施の形態】
以下、この発明の実施形態を添付図面に基づいて説明する。図１は、液体容器の例としてエアーポットを示している。このエアーポットは、本体１の上部に蓋ユニット２が開閉自在に取付けられる。胴部材３の上縁に肩部材４が嵌合一体化される。胴部材３の内部に内容器６が収納され、その内容器開口部７が肩部材４の開口部８下方に合致される。内容器６の底面に水位管９が接続される。また、内容器６の内部に挿入された揚水管１１の上端部がＬ形に屈曲され、肩部材４の開口部８の内側面を貫通して前方の安全弁１２に接続される。その安全弁１２に吐出管１３が接続される。
【００１３】
前記の蓋ユニット２は、蓋下板１４の上面にベローズ型のエアーポンプ１５が取付けられるとともに、その下面に断熱栓１６が取付けられる。また、蓋下板１４の上にエアーポンプ１５のプッシュボタン１７を露出させた蓋上板１８が被せられ、その蓋上板１８と蓋下板１４とが結合一体化されユニットを形成する。
【００１４】
なお、後述のように蓋ユニット２には、フック１９を有するフックレバー２１等によるフック装置が設けられ、これにより蓋ユニット２を本体１に対して掛け外しできるようにしている。
【００１５】
前記のエアーポンプ１５は、図２に示すように、ベローズ２２の上端にベローズ上板２３を嵌着し、その下端を蓋下板１４に結合している。ベローズ２２の内部において、ベローズ上板２３に設けた開閉弁２５と蓋下板１４のばね受け部２６との間にベローズばね２４が介在される。ベローズ２２の下端に囲まれた蓋下板１４の中心部にテーパー部２７の部分で立ち上がった円錐台形が形成され、その上面に前記のばね受け部２６が設けられる。また、テーパー部２７の周方向に所要間隔をおいて３か所の係合穴２８が上下方向に開放するように設けられる（図３（ｂ）参照）。その１か所の係合穴２８は蓋ユニット２の前方に向いた位置に設けられる。
【００１６】
前記の蓋下板１４の下面には、図３（ａ）に示すように、前記のテーパー部２７の基部に対向した位置に環状の嵌合リブ２９が設けられる。その嵌合リブ２９の内周面に前記の各係合穴２８に対応して一対のガイドリブ３０、３０が縦方向に設けられる。また、前記嵌合リブ２９に囲まれた部分にねじ筒３１が突設される。嵌合リブ２９の外周面にシール手段としてのパッキン３２が装着される。
【００１７】
前記の断熱栓１６はポリプロピレン製であり、図４（ａ）から（ｆ）に示すように、上端開放の中空体に形成され、その上端に前記の嵌合リブ２９の内周面に嵌合される環状の嵌合用周壁３３と、嵌合リブ２９の下端面に当るつば部３４が設けられる。そのつば部３４から下方に栓部３５が形成される。嵌合用周壁３３には、３等分位置にそれぞれ一対の縦方向のスリット３６、３６によって区分された３か所の係合爪３７が設けられる。その係合爪３７の先端部は、嵌合用周壁３３の上端面より若干上方にａだけ突き出している（図４（ｃ）参照）。前記の嵌合用周壁３３を嵌合リブ２９の内周面に嵌合させるとともに、各係合爪３７のスリット３６、３６をガイドリブ３０、３０に嵌入させることにより位置決めがされ、各係合爪３７が各係合穴２８にそれぞれ挿入されるとともに、ａだけ突き出した部分で係合される（図２参照）。
【００１８】
栓部３５の前部（蓋ユニット２の前方を向いた部分）に切欠き部３８が設けられ（図３（ａ）参照）、その切欠き部３８に揚水管１１の屈曲部を受け入れるようにして、揚水管１１と栓部３５との干渉を防止している（図２参照）。その切欠き部３８の中間部分において段部３９が設けられ（図４（ｂ）参照）、その段部３９にねじ穴４１が形成される。このねじ穴４１が前記のねじ筒３１と合致し（図２参照）、これらにねじ込んだビス４２によって両者を締結することにより、断熱栓１６が蓋下板１４に確実に固定される。
【００１９】
前記栓部３５の下端部において、その後方に向けて開放された開口４３が設けられる。断熱栓１６の上端開放部から上記の開口４３までの間がエアー通路４４となっている。開口４３の内部にはその上縁から前方にブリッジ状に延びて切欠き部３８の内面に達する邪魔板４５を設けている。また、前記エアー通路４４の上端は、該断熱栓１６が蓋下板１４に取付けられた状態で、３か所の係合穴２８を通ってエアーポンプ１５の内部に開放される。係合穴２８には係合爪３７が嵌入されるが、嵌入すき間の存在によりエアーの流通は可能である。
【００２０】
以上述べた蓋ユニット２を本体１に対して閉鎖した状態で使用者がプッシュボタン１７を押し込み、開閉弁２５を閉鎖させるとともにベローズ２２を圧縮させると、加圧エアーが前記の係合穴２８、前記のエアー通路４４を経て開口４３から内容器６の内部に送り込まれ、内容器６の内部を加圧する。その加圧により内部の液体が揚水管１１、吐出管１３を経て外部に吐出される。
【００２１】
また、内容器６内の熱は、前記の加圧エアーと逆の経路で放逸するが、開口４３から断熱栓１６内に入った蒸気は、図２において矢印Ａで示すように、邪魔板４５に衝突して経路が分かれ、次に蓋下板１４の下面に当って方向が変えられ、係合穴２８の嵌入すき間を通ってエアーポンプ１５の内部に達する。従って、蒸気は断熱栓１６内をストレートに通り抜けることなく、各所で衝突・屈曲を繰り返して通過するのでその間に熱の冷却が行われる。即ち、断熱栓１６とこれを取付けた蓋下板１４との協働によるラビリンス効果により断熱効果が発揮され保温される。
【００２２】
また、蓋下板１４の成形に際しては、係合穴２８が上下方向に開放されているので、成形時の型抜きは容易であり、成形金型の構造が簡単化される。
【００２３】
なお、図５に示したものは、前記のものを若干変形したものであり、蓋下板１４の下面に設けた前記の嵌合リブ２９の内側の部分を下方に凹入させて設け、その周辺のテーパー部２７’が前記とは逆のテーパーに形成されている。そのテーパー部２７’に上下方向の係合穴２８が設けられる。また、上面側のばね受け部２６はそのテーパー部２７’の外側に設けられる。この場合の係合爪２８は、図５に示すように、その先端部が内向きに形成される。その他の構成は前述の場合と同様である。
【００２４】
図５の場合の蓋下板１４も係合穴２８が上下方向に設けられているので、前述の場合と同様に、その成形時の型抜きは同様に容易であり、また、断熱作用についても同様の効果がある。
【００２５】
次に、前記蓋ユニット２におけるフック装置について、図６から図８に基づいて説明する。
【００２６】
図６に示すように、フック装置は２本のフック１９を左右に備えたフックレバー２１とフックばね４７とからなり、一般にこの種のフック装置において用いられるフックレバー２１を支持するヒンジピンを用いていない。その代わり、蓋下板１４の上面に平面視コの字型のヒンジブロック４８を一体に設け、そのヒンジブロック４８の左右外端面にヒンジ凸部４９、４９を設け、各ヒンジ凸部４９をフックレバー２１の各フック１９の基部に設けたヒンジ穴５１に嵌入するようにしている。各フック１９はヒンジブロック４８の左右両側に設けられた穴５２、５２を通して肩部材４の係合部５３に係合される（図７（ａ）参照）。
【００２７】
また、前記ヒンジブロック４８の中央部分の前面に左右一対のばね支持板５４、５４と、これらに対向してその前方に平面視コの字型のばね受け部５５が設けられる。前記フックばね４７のコイル部５６がばね支持板５４、５４間に前記ヒンジ凸部４９と同軸上に収納されるとともに、そのフックばね４７の一端部がばね受け部５５に突き当てられ、他端部はフックレバー２１の先端部裏面に突き当てられる（図７（ａ）参照）。
【００２８】
また、前記蓋下板１４のヒンジブロック４８の左右後部に設けた一対の爪５７、５７を蓋上板１８のフックレバー取付け凹部５８に設けた係合穴５９に係合させるとともに、フックレバー取付け凹部５８の下面と蓋下板１４とをビス６１により結合している。
【００２９】
上記のフック装置において、使用者がフックレバー２１の先端部を押し込んで立ち上がらせ、その後端部をつまんで引き上げることにより、フックレバー２１がヒンジ凸部４９、４９を中心に揺動するとともに、フック１９が係合部５３から外れ、さらに引き上げると蓋ユニット２が開放される。フックレバー２１は、それをつまんでいる手を離すとフックばね４７のばね力によりもとの状態に戻る。
【００３０】
図８（ａ）（ｂ）は、前記フック装置の変形例であり、この場合はフック１９、１９の基部にヒンジ凸部４９’、４９’を設け、各ヒンジ凸部４９’を蓋下板１４に設けたヒンジ受け部６２、６２と、これらに対応して設けた蓋上板１８のヒンジ押さえ部６３、６３の間で挟持している。その他の構成及び作用は、前述した図６、図７（ａ）（ｂ）のものと同様である。
【００３１】
前記のフック装置によると、ヒンジピンが省略できるので部品点数の減少による製品コストの低減を図ることができる。
【００３２】
【発明の効果】
以上述べたように、この発明の蓋ユニットは、断熱栓を取付けるために設けられる蓋下板の係合穴が上下方向に開放されているので、製造時の型抜きが容易であり、従って金型構造が簡単となり製品の製作コストの低減を図ることができる。また、断熱栓及びこれを取付けた蓋下板との協働によるラビリンス効果により内容器の熱の放逸が防止され、保温性能を上げることができる。
【図面の簡単な説明】
【図１】実施形態の電気湯沸かし器の断面図
【図２】同上の一部拡大断面図
【図３】（ａ）同上の一部分解斜視図
（ｂ）同上の一部断面図
【図４】（ａ）同上の断熱栓の斜視図
（ｂ）（ａ）図のｂ−ｂ線の断面図
（ｃ）（ａ）図のｃ−ｃ線の断面図
（ｄ）（ａ）図の正面図
（ｅ）（ａ）図の平面図
（ｆ）（ａ）図の底面図
【図５】同上の変形例の断面図
【図６】フック装置の一部省略分解斜視図
【図７】（ａ）図６の場合の組立状態の断面図
（ｂ）（ａ）図のｂ−ｂ線の断面図
【図８】（ａ）フック装置の変形例の断面図
（ｂ）（ａ）図のｂ−ｂ線の断面図
【符号の説明】
１  本体
２  蓋ユニット
３  胴部材
４  肩部材
６  内容器
７  内容器開口部
８  開口部
９  水位管
１１  揚水管
１２  安全弁
１３  吐出管
１４  蓋下板
１５  エアーポンプ
１６  断熱栓
１７  プッシュボタン
１８  蓋上板
１９  フック
２１  フックレバー
２２  ベローズ
２３  ベローズ上板
２４  ベローズばね
２５  開閉弁
２６  ばね受け部
２７，２７  テーパー部
２８  係合穴
２９  嵌合リブ
３０  ガイドリブ
３１  ねじ筒
３２  パッキン
３３  嵌合用周壁
３４  つば部
３５  栓部
３６  スリット
３７  係合爪
３８  切欠き部
３９  段部
４１  ねじ穴
４２  ビス
４３  開口
４４  エアー通路
４５  邪魔板
４７  フックばね
４８  ヒンジブロック
４９、４９’  ヒンジ凸部
５１  ヒンジ穴
５２  穴
５３  係合部
５４  ばね支持板
５５  ばね受け部
５６  コイル部
５７  爪
５８  フックレバー取付け凹部
５９  係合穴
６１  ビス
６２  ヒンジ受け部
６３  ヒンジ押さえ部
【図１】
2004242866.tif 000003
【図２】
2004242866.tif 000004
【図３】
2004242866.tif 000005
【図４】
2004242866.tif 000006
【図５】
2004242866.tif 000007
【図６】
2004242866.tif 000008
【図７】
2004242866.tif 000009
【図８】
2004242866.tif 000010